(57)【要約】      （修正有）【課題】金型を使用する数種類の機械に対して１種類の金型交換設備によって対応することができ、しかも、重い上に熱い金型でも容易にして確実に交換することが可能な設備を提供する。【解決手段】  駆動機構４の作動により金型を取外す機械と対向する位置に金型搬出装置１を移動させ、牽引機構９の作動により空の金型搬送台車８を既設のガイドレールを介して金型の真下に移動させ、適宜の慣用手段により金型を機械から取り外して金型搬送台車８上に載せ、牽引機構９の作動により金型を載せた金型搬送台車８を既設のガイドレールを介して機械から後退させる。また、取り付ける金型を載置した金型搬送台車８をレール１９上に載せた搬送用パレット１８を、フォークリフトにより金型搬入装置２の第２台車上１７に載置した後、金型を取り付ける機械と対向する所要位置に金型搬入装置２を移動させ、金型を載せた金型搬送台車８を人力で押して既設のガイドレールを介して金型取り付け位置の真下に移動させ、その後、適宜の慣用手段により金型搬送台車８上の金型を機械に取り付ける。【選択図】図１
2005103547.tif 000002
【特許請求の範囲】
【請求項１】
金型を使用する各種の機械に対して金型を交換するための設備であって、
前記機械から金型を搬出する金型搬出装置と、前記機械に金型を搬入する金型搬入装置とを具備し、
前記金型搬出装置は、
床面上を水平方向へ移動可能な第１台車と、
この第１台車に装着されて人力を介して第１台車を駆動可能な駆動機構と、
前記第１台車の上面に装着されたテーブルと、
このテーブル上に敷設された金型搬送台車用第１レールと、
この金型搬送台車用第１レール上に載置された金型搬送台車と、
前記第１台車に装着され人力を介して前記第１レールに沿い移動させるように前記金型搬送台車を牽引する牽引機構と、
を備え、
前記金型搬入装置は、
床面上を水平方向へ移動可能な第２台車と、
この第２台車上に搬送用パレットを介して載置可能に構成されかつ搬送レベルが前記金型搬送台車用第１レールのそれとほぼ同一の金型搬送台車用第２レールと、
この金型搬送台車用第２レール上に載置された金型搬送台車と、
を備え、
前記金型搬出装置と前記金型搬入装置は相互に連結可能であることを特徴とする金型交換設備。
【請求項２】
請求項１に記載の金型交換設備において、
人力を介して第１台車を制動可能な制動機構を前記第１台車に装着したことを特徴とする金型交換設備。
【請求項３】
請求項１または２に記載の金型交換設備において、
前記牽引機構を前記金型搬入装置に装着したことを特徴とする金型交換設備。
【発明の詳細な説明】
【技術分野】
【０００１】
本発明は、金型交換設備に係り、より詳しくはシェル鋳型造型機や金型鋳造機など金型を使用する各種の機械に対して金型の取付け・取外しを行って金型を交換するのに好適な設備に関する。      
【背景技術】
【０００２】
従来、例えば、シェル中子造型機における金型の交換は、金型をホイストあるいはフォークリフトを用いて金型交換台車上に載せてシェル中子造型機の金型取付け位置に搬入し、その後適宜の慣用手段により作業者が手作業で金型をシェル中子造型機に取り付け、そして、上述の逆の作業により金型をシェル中子造型機から取り外す方法によって行っていた。
【０００３】
しかし、このような従来の金型交換方法では、金型交換台車がシェル中子造型機に対して専用機であるため、数種類のシェル中子造型機の金型交換を行う場合には金型交換台車を数種類の複数台を準備する必要があり、しかも、金型は一般に重い上に特に使用直後は熱いため、この金型の交換は作業者にとって非常に厄介であるとともに過酷な重労働となっている。
【発明の開示】
【発明が解決しようとする課題】
【０００４】
本発明は上記の事情に鑑みてなされたもので、その目的は、金型を使用する数種類の機械に対して１種類の金型交換設備によって対応することができ、しかも、重い上に熱い金型でも容易にして確実に交換することが可能な設備を提供することにある。      
【課題を解決するための手段】
【０００５】
上記の目的を達成するために本発明の金型交換設備は、金型を使用する各種の機械に対して金型を交換するための設備であって、前記機械から金型を搬出する金型搬出装置と、前記機械に金型を搬入する金型搬入装置とを具備し、前記金型搬出装置は、床面上を水平方向へ移動可能な第１台車と、この第１台車に装着されて人力を介して第１台車を駆動可能な駆動機構と、前記第１台車の上面に装着されたテーブルと、このテーブル上に敷設された金型搬送台車用第１レールと、この金型搬送台車用第１レール上に載置された金型搬送台車と、前記第１台車に装着され人力を介して前記第１レールに沿い移動させるように前記金型搬送台車を牽引する牽引機構と、を備え、前記金型搬入装置は、床面上を水平方向へ移動可能な第２台車と、この第２台車上に搬送用パレットを介して載置可能に構成されかつ搬送レベルが前記金型搬送台車用第１レールのそれとほぼ同一の金型搬送台車用第２レールと、この金型搬送台車用第２レール上に載置された金型搬送台車と、を備え、前記金型搬出装置と前記金型搬入装置は相互に連結可能であることを特徴とする。
【０００６】
このように構成されたものは、金型を機械から取り外すには、まず金型搬出装置の駆動機構を作動して金型を取外す機械と対向する位置まで金型搬出装置を移動させるとともに、機械における金型取り付け位置の真下にまで延びる既設の金型搬送台車用ガイドレールに金型搬送台車用第１レールを接続する。次いで、人力により牽引機構を作動して金型搬出装置の空の金型搬送台車を既設のガイドレールを介して金型の真下に移動させ、続いて、適宜の慣用手段により金型を機械から取り外して金型搬送台車上に載せ、その後、人力により牽引機構を作動して金型を載せた金型搬送台車を既設の金型搬送台車用ガイドレールを介して機械から後退させる。
【０００７】
また、金型を機械に取り付けるには、取り付ける金型を載置した金型搬送台車を金型搬送台車用第２レール上に載せた搬送用パレットを、フォークリフトにより金型搬入装置の第２台車上に載置した後、駆動機構を作動して、金型を取外す機械と対向する位置まで金型搬入装置を移動させるとともに、上述の既設の金型搬送台車用ガイドレールに金型搬送台車用第２レールを接続し、続いて、金型を載せた金型搬送台車を人力で押して、既設の金型搬送台車用ガイドレールを介して金型取り付け位置の真下に、金型を載せた金型搬送台車を移動させ、その後、適宜の慣用手段により金型搬送台車上の金型を機械に取り付ける。
【発明の効果】
【０００８】
以上の説明から明らかなように本発明は、金型を使用する各種の機械に対して金型を交換するための設備であって、前記機械から金型を搬出する金型搬出装置と、前記機械に金型を搬入する金型搬入装置とを具備し、前記金型搬出装置は、床面上を水平方向へ移動可能な第１台車と、この第１台車に装着されて人力を介して第１台車を駆動可能な駆動機構と、前記第１台車の上面に装着されたテーブルと、このテーブル上に敷設された金型搬送台車用第１レールと、この金型搬送台車用第１レール上に載置された金型搬送台車と、前記第１台車に装着され人力を介して前記第１レールに沿い移動させるように前記金型搬送台車を牽引する牽引機構と、を備え、前記金型搬入装置は、床面上を水平方向へ移動可能な第２台車と、この第２台車上に搬送用パレットを介して載置可能に構成されかつ搬送レベルが前記金型搬送台車用第１レールのそれとほぼ同一の金型搬送台車用第２レールと、この金型搬送台車用第２レール上に載置された金型搬送台車と、を備え、前記金型搬出装置と前記金型搬入装置は相互に連結可能であるから、金型を使用する数種類の機械に対して１種類の金型交換設備によって対応することができ、しかも、重い上に熱い金型でも容易にして確実に交換することが可能になるなどの優れた実用的効果を奏する。 
【発明を実施するための最良の形態】
【０００９】
以下、本発明を適用したシェル中子造型設備について図１〜図４に基づき詳細に説明する。図２に示すように、シェル中子造型機（図示せず）に対して金型を交換するため、シェル中子造型機から金型を搬出する金型搬出装置１と、前記シェル中子造型機に金型を搬入する金型搬入装置２とが床面上に敷設したレールＦ上に左右方向へ移動自在にして設置してある。また、前記レールＦと前記シェル中子造型機との間には金型搬送台車が移動可能なガイドレールＧがレールＦと直交して延びて配設してある。
【００１０】
また、図１〜図４に示すように、前記金型搬出装置１は、床面上を水平方向へ移動可能な第１台車３と、この第１台車３に装着されて人力を介して第１台車３を駆動可能な駆動機構４と、前記第１台車３に装着されて人力を介して第１台車３を制動可能な制動機構５と、前記第１台車３の上面に装着されたテーブル６と、このテーブル６上に敷設された金型搬送台車用第１レール７と、この金型搬送台車用レール７上に移動自在にして載置された金型搬送台車８と、前記第１台車３に装着され前記金型搬送台車８を人力を介して前記レール７および前記ガイドレールＧに沿い移動させるように牽引する牽引機構９と、で構成してある。なお、前記金型搬送台車８は、金型本体に一体的に設けられた構造のものと、金型本体に対して分離可能に設けられた構造のものとがある。
【００１１】
また、前記第１台車３は定盤状を成しかつ前記レールＦと係合可能な２対のつば付き車輪１０・１０を有している。また、前記駆動機構４は、ハンドル１１と、人力によるハンドル１１の回転を前記つば付き車輪１０・１０に伝動する減速機から成る伝動機構１２とで構成してあって、ハンドル１１の正・逆回転により、前記第１台車３は図２においてレールＦ上を右方または左方へ移動するようになっている。また、前記金型搬送台車用第１レール７の搬送レベルは前記ガイドレールＧのそれとほぼ同一に成っている。
【００１２】
また、前記牽引機構９は、ハンドル１３と、人力によるハンドル１３の回転により回転されて前記金型搬送用台車８を牽引しかつ両側に多数のローラが軸支された無端ローラチェーン１４と、この無端ローラチェーン１４の一部と前記金型搬送台車８を連結する連結機構１５と、前記無端ローラチェーン１４を支持・ガイドするガイドレール１６とで構成してあって、前記ハンドル１３の正・逆回転により、前記金型搬送台車８を前記金型搬送台車用第１レール７および前記ガイドレールＧに沿い前進または後退させることができるようになっている。そして、前記無端ローラチェーン１４および前記ガイドレール１６は前記テーブル６の一側部位置で上下回動自在に枢支してあって、前記第１台車３の移動時には上方へ立てられるようになっている。
【００１３】
また、前記金型搬入装置２は、床面上を水平方向へ移動可能な第２台車１７と、この第２台車１７上に搬送用パレット１８を介して載置可能に構成されかつ搬送レベルが前記金型搬送台車用第１レール７のそれとほぼ同一の金型搬送台車用第２レール１９と、この金型搬送台車用第２レール１９上に載置された上述の金型搬送台車８と、で構成してある。
【００１４】
また、前記第２台車１７は定盤状を成しかつ前記レールＦと係合可能な２対のつば付き車輪２０・２０を有している。
また、前記金型搬出装置１と前記金型搬入装置２は連結機構２１によって相互に連結可能に構成してある。
【００１５】
次に、金型搬出装置１および金型搬入装置２を用いて金型を交換する手順について説明する。金型をシェル中子造型機から取り外すには、まず金型搬出装置１の駆動機構４のハンドル１１を手作業により正回転して、空の金型搬送台車８を金型搬送台車用第１レール７上に載せた金型搬出装置１を、金型を取外すシェル中子造型機（図示せず）と対向する所要位置に移動させた後制動機構５によって停止させさせるとともに、ガイドレールＧに金型搬送台車用第１レール７を接続し、続いて、手作業により金型搬出装置１における牽引機構９の無端ローラチェーン１４およびガイドレール１６を倒して無端ローラチェーン１４およびガイドレール１６の先方部分をシェル中子造型機における取り外す金型の真下に位置させる。
【００１６】
次いで、牽引機構９のハンドル１３を手作業により正回転して金型搬出装置１の空の金型搬送台車８を金型の真下に移動させ、続いて、適宜の慣用手段により金型をシェル中子造型機から取り外して金型搬送台車８上に載せ、その後、牽引機構９のハンドル１３を手作業により逆回転して金型を載せた金型搬送台車８をシェル中子造型機から後退させて、金型をシェル中子造型機から搬出する。
【００１７】
また、金型をシェル中子造型機に取り付けるには、取り付ける金型を載せた金型搬送台車８を金型搬送台車用第２レール１９上に載置した搬送用パレット１８を、フォークリフトにより金型搬入装置２の第２台車１７上に載置した後、金型搬出装置１の駆動機構４のハンドル１１を手作業により逆回転して、金型を取り付けるシェル中子造型機と対向する所要位置に、金型搬出装置１と一緒に金型搬入装置２を移動させた後制動機構５によって停止させさせるとともに、ガイドレールＧに金型搬送台車用第２レール１９を接続し、続いて、金型を載せた金型搬送台車８を人力で押して、ガイドレールＧを介して金型取り付け位置の真下に、金型を載せた金型搬送台車８を移動させ、その後、適宜の慣用手段により金型搬送台車８上の金型を機械に取り付ける。これにより、金型を交換することができる。
【００１８】
なお、上記の実施例では金型搬出装置１に制動機構５を設けてあるが、制動機構５は省略してもよい。 
またなお、上記の実施例では金型搬入装置２における金型搬送台車８の移動は人力によって行っているが、牽引機構９を第２台車１７にも別途設けてもよい。 
【図面の簡単な説明】
【００１９】
【図１】本発明の一実施例の正面図である。
【図２】本発明を適用したシェル中子造型設備の平面図である。
【図３】図２のＡ−Ａ矢視図である。
【図４】図２のＢ−Ｂ矢視図であって、本図はＢ−Ｂ矢視図を１８０度回転してある。
【符号の説明】
【００２０】
１  金型搬出装置
２  金型搬入装置
３  第１台車
４  駆動機構  
６  テーブル
７  金型搬送台車用レール
８  金型搬送台車
９  牽引機構
１７  第２台車
１８  搬送用パレット
１９  金型搬送台車用第２レール
【図１】
2005103547.tif 000003
【図２】
2005103547.tif 000004
【図３】
2005103547.tif 000005
【図４】
2005103547.tif 000006